(57)【要約】【課題】ＬＥＤ表示装置においてＬＥＤドットマトリクス表示システムを用いることでホワイトバランスの均一化を向上させる目的とする。【解決手段】図１に示すように赤色用ＬＥＤ４１、４２を２個、緑色用ＬＥＤ４３、４４、４５を３個、青色用ＬＥＤ４６、４７、４８、４９を４個を３行３列のドットマトリクス格子に構成することで、３色のＬＥＤ個別の発光効率の差を補正し、格子単位だけではなく隣接する格子間においてもホワイトバランスの均一化を実現することができる。【選択図】　図１
2004029802.tif 000002
【特許請求の範囲】
【請求項１】
赤色用ＬＥＤと緑色用ＬＥＤと青色用ＬＥＤからなる３行３列のドットマトリクス格子を格子単位とし、前記格子単位を配列して構成されたＬＥＤドットマトリクス表示システムであって、
前記格子単位に前記緑色用ＬＥＤを対角線に３つ並べ、前記青色用ＬＥＤを前記緑色用ＬＥＤの２個と隣り合う位置に４個並べ、残りの位置に赤色用ＬＥＤ２個を配置することを特徴とするＬＥＤドットマトリクス表示システム。
【発明の詳細な説明】
【０００１】
【発明の属する技術分野】
本発明は、ＬＥＤ画像表示装置に用いられるＬＥＤドットマトリクス表示システムに関するものである。
【０００２】
【従来の技術】
近年、画像表示装置においては大型化、高精細化が進む傾向にある。それ故に画面サイズが大きくなっても様々な映像ソースに対して均一なホワイトバランス調整が求められるため、ＬＥＤ画像表示装置に関しても各映像ソースに対応した忠実な色再現能力が要求される。
【０００３】
以下に、従来のＬＥＤドットマトリクス表示システムについて説明する。
【０００４】
図７は従来のＬＥＤドット表示システムのＬＥＤ表示配列を示すものであり、図１２は従来のＬＥＤドット表示システムの構造を示すものであり、図１３は図１２におけるプログラマブル定電圧回路３０の構造を示すものである。
【０００５】
図７において、従来の構成で１は赤色用ＬＥＤ、２は緑色用ＬＥＤ、３は青色用ＬＥＤであり、１格子に赤色用ＬＥＤ、緑色用ＬＥＤ、青色用ＬＥＤの３色を各１個づつ正三角形に配置した構造をもつＬＥＤ表示配列である。そして、配列の仕方には１種のみの配列及び２種の格子を組み合わせた配列の２通りが実施されている。
【０００６】
図１３において、１５は赤原色の映像信号（以下赤原色信号とする）１１のアナログ信号を映像信号のＤＣバイアスを調整する電圧（以下ＤＣバイアス調整電圧とする）１４をもとに赤色ＬＥＤを制御するデジタル信号（以下赤色デジタル信号とする）１８に変換するアナログ信号からデジタル信号への変換器（以下Ａ／Ｄ変換器とする）、１６は緑原色の映像信号（以下緑原色信号とする）１２のアナログ信号をＤＣバイアス調整電圧１４をもとに緑色ＬＥＤを制御するデジタル信号（以下緑色デジタル信号とする）１９に変換するＡ／Ｄ変換器、１７は青原色の映像信号（以下青原色信号とする）１３のアナログ信号をＤＣバイアス調整電圧１４をもとに青色ＬＥＤを制御するデジタル信号（以下青色デジタル信号とする）２０に変換するＡ／Ｄ変換器、２１は前記赤色デジタル信号１８、前記緑色デジタル信号１９、前記青色デジタル信号２０をもとにＩ／Ｏポート出力信号２２を出力するＩ／Ｏポート、２３は前記Ｉ／Ｏポート出力信号２２をもとにＣＰＵ出力信号２４、外部制御電圧２５を出力するＣＰＵ、２６は前記ＣＰＵ出力２４をもとに赤色ＬＥＤを制御する出力電圧２７、緑色ＬＥＤを制御する出力電圧２８、青色ＬＥＤを制御する出力電圧２９を出力するＩ／Ｏポートである。そして３０はＡ／Ｄ変換器１５と、Ａ／Ｄ変換器１６と、Ａ／Ｄ変換器１７と、Ｉ／Ｏポート２３と、ＣＰＵ２３と、Ｉ／Ｏポート２６により構成されたプログラマブル定電圧回路である。
【０００７】
図１２において、３０は図１３に示すプログラマブル定電圧回路から出力された信号の処理回路の構成を示すものであり、３１は出力電圧２７をもとにＬＥＤドット表示システム内の赤色用ＬＥＤの集合体（以下赤色用ＬＥＤ群とする）３５に流す電流を制御する可変抵抗、３２は出力電圧２８をもとにＬＥＤドット表示システム内の緑色用ＬＥＤの集合体（以下緑色用ＬＥＤ群とする）３６に流す電流を制御する可変抵抗、３３は出力電圧２９をもとにＬＥＤドット表示システム内の青色用ＬＥＤの集合体（以下青色用ＬＥＤ群とする）３７に流す電流を制御する可変抵抗であり、３４は赤色用ＬＥＤ群３５、緑色用ＬＥＤ群３６、青色用ＬＥＤ群３７の全てに流す電流を外部制御電圧２５をもとに制御するポテンショメータ、これらプログラマブル定電圧回路３０、可変抵抗３１、可変抵抗３２、可変抵抗３３、ポテンショメータ３４、赤色用ＬＥＤ群３５、緑色用ＬＥＤ群３６、青色用ＬＥＤ群３７により従来のＬＥＤドットマトリクス表示システムが構成されている。
【０００８】
以上のように構成されたＬＥＤドットマトリクス表示システムについて、図１２、図１３を用いてその動作について説明する。
【０００９】
図７（ａ）は従来のＬＥＤドット表示システムのＬＥＤ表示配列図であり、図７（ｂ）は従来のＬＥＤ表示配列を２種使用したＬＥＤドット表示システムのＬＥＤ表示配列図であり、図８、図９は従来のＬＥＤドット表示システムの動作説明のための格子隣接部のＬＥＤ表示図であり、図１０は従来のＬＥＤ表示配列を２種使用したＬＥＤ表示システムの動作説明のための格子隣接部のＬＥＤ表示図であり、図１２は従来のＬＥＤドット表示システムの機能ブロック図であり、図１３は従来のＬＥＤドット表示システムにおけるプログラマブル定電圧回路３０の機能ブロック図である。
【００１０】
図１３において赤原色信号１１とＤＣバイアス調整電圧１４をもとに赤色デジタル信号１８がＡ／Ｄ変換器１５で作成され、同様に緑原色信号１２とＤＣバイアス調整電圧１４をもとに緑色デジタル信号１９がＡ／Ｄ変換器１６で作成され、青原色信号１３とＤＣバイアス調整電圧１４をもとに青色デジタル信号２０がＡ／Ｄ変換器１７で作成される。前記赤色デジタル信号１８、緑色デジタル信号１９、青色デジタル信号２０をもとにＩ／Ｏポート２１でＩ／Ｏポート出力信号２２が作成され、前記Ｉ／Ｏポート出力信号２２をもとにＣＰＵ２３において外部制御電圧２５、ＣＰＵ出力信号２４が出力され、前記ＣＰＵ出力信号２４はＩ／Ｏポート２６を介して出力電圧２７、出力電圧２８、出力電圧２９となる。
【００１１】
図１２において、図１３で示したプログラマブル定電圧回路３０により赤原色信号１１、緑原色信号１２、青原色信号１３、ＤＣバイアス調整電圧１４をもとに出力電圧２７、出力電圧２８、出力電圧２９が出力され、前記出力電圧２７をもとに外部制御電圧２５で制御されるポテンショメータ３４と可変抵抗３１で赤色用ＬＥＤ群３５に流す電流を制御することで赤色ＬＥＤ群３５の輝度を調整し、同様にして、出力電圧２８をもとにポテンショメータ３４と可変抵抗３２で緑色用ＬＥＤ群３６に流す電流を制御することで緑色ＬＥＤ群３６の輝度を調整し、出力電圧２９をもとにポテンショメータ３４と可変抵抗３３で青色用ＬＥＤ群３７に流す電流を制御することで青色ＬＥＤ群３７の輝度を調整する。つまり図１２に示す回路はプログラマブル定電圧回路３０、可変抵抗３１、可変抵抗３２、可変抵抗３３、ポテンショメータ３４、赤色用ＬＥＤ群３５、緑色用ＬＥＤ群３６、青色用ＬＥＤ群３７により構成され、１格子のホワイトバランスを３色のＬＥＤの輝度調整により制御するＬＥＤドット表示システムである。
【００１２】
【発明が解決しようとする課題】
しかしながら上記の従来の構成では、図８、図９に示す通り、隣接する格子間でＬＥＤ間隔に差が存在するため画面全体において１格子単位で明暗の差が生じるという問題点を有している。
【００１３】
さらに、２種の組合せ配列の場合には、図１０、図１１に示す通り、隣接する格子間でＬＥＤ間隔が縦同士、横同士の間隔は均等になるものの、縦方向と横方向とのＬＥＤ間隔に差が存在するため画面全体において１格子単位で明暗の差が生じるという問題点を有している。
【００１４】
【課題を解決するための手段】
この課題を解決するために本発明は、赤色用ＬＥＤと緑色用ＬＥＤと青色用ＬＥＤからなる３行３列のドットマトリクス格子を格子単位とし、前記格子単位を配列して構成されたＬＥＤドットマトリクス表示システムであって、前記格子単位に前記緑色用ＬＥＤを対角線に３つ並べ、前記青色用ＬＥＤを前記緑色用ＬＥＤの２個と隣り合う位置に４個並べ、残りの位置に赤色用ＬＥＤ２個を配置することで、３色のＬＥＤ個別の発行効率の差を１格子単位で補正し、格子単位だけではなく隣接する格子間においても赤色用ＬＥＤと、緑色用ＬＥＤと、青色用ＬＥＤとの比率を２：３：４に維持でき、かつ、全ての隣接する格子間で各色ＬＥＤが縦・横方向に等間隔に配置される構成を有している。
【００１５】
【発明の実施の形態】
本発明は、赤色用ＬＥＤ２個、緑色用ＬＥＤ３個、青色用ＬＥＤ４個を用いて構成される３行３列のドットマトリクス格子であって、前記緑色用ＬＥＤを対角線に３つ並べ、前記青色用ＬＥＤを前記緑色用ＬＥＤの２個と隣り合う位置に４個並べ、残りの位置に赤色用ＬＥＤ２個を配置することを特徴とするＬＥＤドットマトリクス表示システムであり、発光効率の差をマトリックスの１格子単位で補正し、加えて格子単位だけでなく隣接する格子間においてもホワイトバランスの均一化を実現するという効果を有する。
【００１６】
以下、本発明の実施の形態について、図１〜図６、図１３を用いて説明する。
【００１７】
（実施の形態１）
以下に、本発明の第１の実施例について図１、図２を参照しながら説明する。図１は本発明の一実施の形態によるＬＥＤドットマトリクス表示システムのＬＥＤ表示配列図、図２は本発明の一実施の形態によるＬＥＤドットマトリクス表示システムの動作説明のための格子隣接部のＬＥＤ表示図である。
【００１８】
図１において、図１に示すＬＥＤ表示配列図の４１は３行３列ドットマトリクス格子の右上赤色用ＬＥＤ群、同様に４２は格子の左下赤色用ＬＥＤ群、４３は格子の左上緑色用ＬＥＤ群、４４は格子の中央緑色用ＬＥＤ群、４５は格子の右下緑色用ＬＥＤ群、４６は格子の上中青色用ＬＥＤ群、４７は格子の左中青色用ＬＥＤ群、４８は格子の下中青色用ＬＥＤ群、４９は格子の右中青色用ＬＥＤ群である。
【００１９】
以上のように構成されたＬＥＤドットマトリクス表示システムについて、図１、図２、図３を用いてその動作を説明する。
【００２０】
図１に示すＬＥＤ表示配列は、図２に示す通り３行３列のドットマトリクス格子における全ての隣接する格子間で各色ＬＥＤが縦・横方向に等間隔に配置されているため、画面全体における明暗の差を解消することができ、格子単位だけではなく隣接する格子間においてもホワイトバランスの均一化を実現することができる。
【００２１】
次に、本発明のＬＥＤドットマトリクス表示システムの動作例について図４を参照しながら説明する。図４は本発明の一実施の形態によるＬＥＤドットマトリクス表示システムを示す機能ブロック図であり、図１３は図４におけるプログラマブル定電圧回路３０の構造を示すもので従来の構成を示す図１２におけるプログラマブル定電圧回路３０と同一のものである。
【００２２】
図４において３０は赤原色信号１１、緑原色信号１２、青原色信号１３、ＤＣバイアス調整電圧１４をもとに、外部制御電圧２５、出力電圧２７、出力電圧２８、出力電圧２９を出力するプログラマブル定電圧回路、３４は前記プログラマブル定電圧回路３０から出力される前記外部制御電圧２５により回路内の全てのＬＥＤに流す電流を制御するポテンショメータ、５１、５２は赤色用ＬＥＤ群、５３、５４、５５は緑色用ＬＥＤ群、５６、５７、５８、５９は青色用ＬＥＤ群、３１は前記赤色ＬＥＤ群５１、５２に流す電流を制御する可変抵抗、３２は前記緑色ＬＥＤ群５３、５４、５５に流す電流を制御する可変抵抗、３３は前記青色ＬＥＤ群５６、５７、５８、５９に流す電流を制御する可変抵抗である。
【００２３】
以上のように構成されたＬＥＤドットマトリクス表示システムについて、図４、図１３を用いてその動作を説明する。
【００２４】
図１３において赤原色信号１１とＤＣバイアス調整電圧１４をもとに赤色デジタル信号１８がＡ／Ｄ変換器１５で作成され、同様に緑原色信号１２とＤＣバイアス調整電圧１４をもとに緑色デジタル信号１９がＡ／Ｄ変換器１６で作成され、青原色信号１３とＤＣバイアス調整電圧１４をもとに青色デジタル信号２０がＡ／Ｄ変換器１７で作成される。前記赤色デジタル信号１８、緑色デジタル信号１９、青色デジタル信号２０をもとにＩ／Ｏポート２１でＩ／Ｏポート出力信号２２が作成され、前記Ｉ／Ｏポート出力信号２２はＣＰＵ２３において外部制御電圧２５と、ＣＰＵ出力信号２４を出力し、前記ＣＰＵ出力信号２４はＩ／Ｏポート２６を介して、出力電圧２７、出力電圧２８、出力電圧２９となる。
【００２５】
図４において、図１３で示したプログラマブル定電圧回路３０により赤原色信号１１、緑原色信号１２、青原色信号１３、ＤＣバイアス調整電圧１４をもとに出力電圧２７、出力電圧２８、出力電圧２９が出力され、前記出力電圧２７をもとに前記外部制御電圧２５により制御されるポテンショメータ３４と可変抵抗３１とで前記赤色用ＬＥＤ群５１、５２に流す電流を制御することで前記赤色用ＬＥＤ群５１、５２の輝度を調整し、同様にして、出力電圧２８をもとにポテンショメータ３４と可変抵抗３２とで前記緑色用ＬＥＤ群５３、５４、５５に流す電流を制御することで前記緑色用ＬＥＤ群５３、５４、５５の輝度を調整し、出力電圧２９をもとにポテンショメータ３４と可変抵抗３３とで前記青色用ＬＥＤ群５６、５７、５８、５９に流す電流を制御することで前記青色用ＬＥＤ群５６、５７、５８、５９の輝度を調整することで、各色ＬＥＤ個別の発光効率の差を格子単位で補正し、３行３列の格子単位でホワイトバランスの均一調整を実現することを特徴とするＬＥＤドットマトリクス表示システムである。
【００２６】
（実施の形態２）
以下に、本発明の第２の実施例について図５を参照しながら説明する。図５は本発明の一実施の形態によるＬＥＤドットマトリクス表示システムを示す機能ブロック図であり、図６は図５におけるプログラマブル定電圧回路６５の構造を示すものである。
【００２７】
図６において、１５は赤原色信号１１のアナログ信号をＤＣバイアス調整電圧１４をもとに赤色ＬＥＤを制御する赤色デジタル信号１８に変換するＡ／Ｄ変換器、１６は緑原色信号１２のアナログ信号をＤＣバイアス調整電圧１４をもとに緑色ＬＥＤを制御する緑色デジタル信号１９に変換するＡ／Ｄ変換器、１７は青原色信号１３のアナログ信号をＤＣバイアス調整電圧１４をもとに青色ＬＥＤを制御する青色デジタル信号２０に変換するＡ／Ｄ変換器、２１は前記赤色デジタル信号１８、緑色デジタル信号１９、青色デジタル信号２０をもとにＩ／Ｏポート出力信号２２を出力するＩ／Ｏポート、２６は前記ＣＰＵ出力２４をもとに赤色ＬＥＤを制御する出力電圧２７、緑色ＬＥＤを制御する出力電圧２８、青色ＬＥＤを制御する出力電圧２９を出力するＩ／Ｏポートで、以上は図１３に示すプログラマブル定電圧回路３０の構成と同様なものである。
【００２８】
図１３と異なるのは、前記Ｉ／Ｏポート出力信号２２をもとに前記ＣＰＵ出力信号２４、前記外部制御電圧２５、映像振幅出力信号６２を出力するＣＰＵ６１と、前記ＣＰＵ出力２４をもとに各色用ＬＥＤに流す電流を制御する赤色制御信号６７、緑色制御信号６８、青色制御信号６９を出力するＬＥＤ制御信号出力回路６３と、各色用ＬＥＤの点灯と消灯を切り換える切換信号７１〜７６を出力する切換信号出力回路６４をホワイトバランスの自動調整を実現するために用いた点である。これらの制御信号６７、６８、６９と切換信号７１〜７６を用いた動作説明を以下に記載する。
【００２９】
図５において３４は前記プログラマブル定電圧回路６５から出力される前記外部制御電圧２５により回路内の全てのＬＥＤに流す電流を制御するポテンショメータ、５１、５２は赤色用ＬＥＤ群、５３、５４、５５は緑色用ＬＥＤ群、５６、５７、５８、５９は青色用ＬＥＤ群で、以上は図４の構成と同様なものである。
【００３０】
図４と異なるのは、前記プログラマブル定電圧回路６５から出力される前記赤色制御信号６７、緑色制御信号６８、青色制御信号６９をもとに各色用ＬＥＤ群５１〜５９に流す電流を制御する電流制御回路７７、７８、７９と、前記プログラマブル定電圧回路６５から出力される前記切換信号７１〜７６をもとに各色用ＬＥＤ群５１〜５９の点灯と消灯を切り換えるスイッチ８１〜８６をホワイトバランスの自動調整を実現するために用いた点である。
【００３１】
以上のように構成されたＬＥＤドットマトリクス表示システムについて、図５、図６を用いてその動作を説明する。
【００３２】
図６において赤原色信号１１とＤＣバイアス調整電圧１４をもとに赤色デジタル信号１８がＡ／Ｄ変換器１５で作成され、同様に緑原色信号１２とＤＣバイアス調整電圧１４をもとに緑色デジタル信号１９がＡ／Ｄ変換器１６で作成され、青原色信号１３とＤＣバイアス調整電圧１４をもと青色デジタル信号２０がＡ／Ｄ変換器１７で作成され、前記赤色デジタル信号１８、緑色デジタル信号１９、青色デジタル信号２０をもとにＩ／Ｏポート２１でＩ／Ｏポート出力信号２２が作成され、前記Ｉ／Ｏポート信号２２をもとにＣＰＵ６１において外部制御電圧２５、ＣＰＵ出力信号２４、映像振幅出力信号６２が出力され、前記ＣＰＵ出力信号２４はＩ／Ｏポート２６を介して出力電圧２７、出力電圧２８、出力電圧２９となり、前記映像振幅出力信号６２は前記ＬＥＤ制御信号出力回路６３において各色用ＬＥＤ群に流す電流を制御するための赤色制御信号６７、緑色制御信号６８、青色制御信号６９となり、前記切換信号出力回路６４において各色用ＬＥＤ群の点灯と消灯を切り換えるための切換信号７１〜７６となる。
【００３３】
図５において、図６で示したプログラマブル定電圧回路６５により赤原色信号１１、緑原色信号１２、青原色信号１３、ＤＣバイアス調整電圧１４をもとに外部制御電圧２５、出力電圧２７、出力電圧２８、出力電圧２９、赤色制御信号６７、緑色制御信号６８、青色制御信号６９、切換信号７１〜７６が出力され、前記出力電圧２７をもとに前記外部制御電圧２５で制御されるポテンショメータ３４と前記赤色制御信号６７で制御される電流制御回路７７により前記赤色用ＬＥＤ群５１、５２に流す電流を制御することで前記赤色用ＬＥＤ群５１、５２の輝度を調整し、前記切換信号７１をもとに前記赤色ＬＥＤ群５１の点灯と消灯を切り換えることで赤単色の輝度を調整する。同様にして、前記出力電圧２８をもとに前記ポテンショメータ３４と前記緑色制御信号６８で制御される電流制御回路７８により前記緑色用ＬＥＤ群５３、５４、５５に流す電流を制御することで前記緑色用ＬＥＤ群５３、５４、５５の輝度を調整し、前記切換信号７２、７３もとに前記緑色ＬＥＤ群５３、５４の点灯と消灯を切り換えることで緑単色の輝度を調整する。そして、前記出力電圧２９をもとに前記ポテンショメータ３４と前記青色制御信号６９で制御される電流制御回路７９により前記青色用ＬＥＤ群５６、５７、５８、５９に流す電流を制御することで前記青色用ＬＥＤ群５６、５７、５８、５９の輝度を調整し、前記切換信号７４、７５、７６をもとに前記青色ＬＥＤ群５６、５７、５８の点灯と消灯を切り換えることで青単色の輝度を調整する。
【００３４】
従って図５に示す構成図は、プログラマブル定電圧回路６５、ポテンショメータ３４、電流制御回路７７、７８、７９、赤色用ＬＥＤ群５１、５２、緑色用ＬＥＤ群５３、５４、５５、青色用ＬＥＤ群５６、５７、５８、５９、スイッチ８１〜８６を備え、入力される映像ソースが変化しホワイトバランスが変化しても、入力映像信号の信号振幅に追従して、ホワイトバランスの自動調整を実現することを特徴とするＬＥＤドットマトリクス表示システムである。
【００３５】
なお、以上の説明では、大型ＬＥＤドット表示ディスプレイをＬＥＤドットマトリクス表示システムで構成した例で説明したが、その他のＬＥＤドット表示ディスプレイ及びＬＥＤ以外で発光効率に差のあるドット表示ディスプレイについても同様に実施可能である。
【００３６】
【発明の効果】
以上のように本発明は、１格子当たりに赤色用ＬＥＤ２個、緑用ＬＥＤ３個、青色用ＬＥＤ４個を所定の３行３列のドットマトリクスに配列することで、３色のＬＥＤ個別の発行効率の差を格子単位で補正するため、格子単位だけでなく隣接する格子間においてもホワイトバランスの均一化を実現することができるという有利な効果が得られる。
【図面の簡単な説明】
【図１】本発明の一実施の形態によるＬＥＤドットマトリクス表示システムのＬＥＤ表示配列図
【図２】（ａ）本発明の一実施の形態によるＬＥＤドットマトリクス表示システムの動作説明のためのＬＥＤ表示図
（ｂ）本発明の一実施の形態によるＬＥＤドットマトリクス表示システムの動作説明のための格子斜め側隣接部のＬＥＤ表示図
【図３】（ａ）本発明の一実施の形態によるＬＥＤドットマトリクス表示システムの動作説明のための格子右側隣接部のＬＥＤ表示図
（ｂ）本発明の一実施の形態によるＬＥＤドットマトリクス表示システムの動作説明のための格子左側隣接部のＬＥＤ表示図
（ｃ）本発明の一実施の形態によるＬＥＤドットマトリクス表示システムの動作説明のための格子上側隣接部のＬＥＤ表示図
（ｄ）本発明の一実施の形態によるＬＥＤドットマトリクス表示システムの動作説明のための格子下側隣接部のＬＥＤ表示図
【図４】本発明の一実施の形態によるＬＥＤドットマトリクス表示システムを示す機能ブロック図
【図５】本発明の一実施の形態によるＬＥＤドットマトリクス表示システムを示す機能ブロック図
【図６】本発明の一実施の形態によるＬＥＤドットマトリクス表示システムにおけるプログラマブル定電圧回路の機能ブロック図
【図７】（ａ）従来のＬＥＤドット表示システムのＬＥＤ表示配列図
（ｂ）従来のＬＥＤ表示配列を２種使用したＬＥＤドット表示システムのＬＥＤ表示配列図
【図８】（ａ）従来のＬＥＤドット表示システム動作説明のためのＬＥＤ表示図
（ｂ）従来のＬＥＤドット表示システム動作説明のための格子斜め側隣接部のＬＥＤ表示図
【図９】（ａ）従来のＬＥＤドット表示システム動作説明のための格子右側隣接部のＬＥＤ表示図
（ｂ）従来のＬＥＤドット表示システム動作説明のための格子左側隣接部のＬＥＤ表示図
（ｃ）従来のＬＥＤドット表示システム動作説明のための格子上下側隣接部のＬＥＤ表示図
【図１０】従来のＬＥＤ表示配列を２種使用したＬＥＤドット表示システムの動作説明のためのＬＥＤ表示図
【図１１】従来のＬＥＤ表示配列を２種使用したＬＥＤドット表示システムの動作説明のための格子左側隣接部のＬＥＤ表示図
【図１２】従来のＬＥＤドット表示システムの機能ブロック図
【図１３】従来のＬＥＤドット表示システムにおけるプログラマブル定電圧回路の機能ブロック図
【符号の説明】
１、４１、４２　赤色用ＬＥＤ
２、４３、４４、４５　緑色用ＬＥＤ
３、４６、４７、４８、４９　青色用ＬＥＤ
１１　赤原色信号
１２　緑原色信号
１３　青原色信号
１４　ＤＣバイアス調整電圧
１５、１６、１７　Ａ／Ｄ変換器
１８　赤色デジタル信号
１９　緑色デジタル信号
２０　青色デジタル信号
２１、２６　Ｉ／Ｏポート
２２　Ｉ／Ｏポート出力信号
２３、６１　ＣＰＵ
２４　ＣＰＵ出力信号
２５　外部制御信号
２７、２８、２９　出力電圧
３０　プログラマブル定電圧回路
３１、３２、３３　可変抵抗
３４　ポテンショメータ
３５、５１、５２　赤色用ＬＥＤ群
３６、５３、５４、５５　緑色用ＬＥＤ群
３７、５６、５７、５８、５９　青色用ＬＥＤ群
６２　映像振幅出力信号
６３　ＬＥＤ制御信号出力回路
６４　切換信号出力回路
６５　プログラマブル定電圧回路
６７　赤色ＬＥＤ制御信号
６８　緑色ＬＥＤ制御信号
６９　青色ＬＥＤ制御信号
７１、７２、７３、７４、７５、７６　切換信号
７７、７８、７９　電流制御回路
８１、８２、８３、８４、８５、８６　スイッチ
【図１】
2004029802.tif 000003
【図２】
2004029802.tif 000004
【図３】
2004029802.tif 000005
【図４】
2004029802.tif 000006
【図５】
2004029802.tif 000007
【図６】
2004029802.tif 000008
【図７】
2004029802.tif 000009
【図８】
2004029802.tif 000010
【図９】
2004029802.tif 000011
【図１０】
2004029802.tif 000012
【図１１】
2004029802.tif 000013
【図１２】
2004029802.tif 000014
【図１３】
2004029802.tif 000015